(57)【要約】【課題】  編地幅全幅に亘って任意の箇所に、部分的に張力の異なるパターンを形成可能とする経編機と経編地及びその編成方法を提供する【解決手段】  編地の基布を構成する地糸を導糸する地糸ガイドエレメント２４と、地糸ガイドエレメント２４を所定ピッチで配置した地ガイドバー２６とを有する。編地の柄を構成する柄糸を導糸する柄ガイドエレメント３０と、柄ガイドエレメント３０を所定ピッチで地ガイドバー２６の一部分に対応して配置し、柄ガイドエレメント３０を地ガイドバー２６に対してその幅内の任意の位置に移動可能にする駆動装置３４を設ける。柄ガイドエレメント３０を保持したエレメント保持装置３２内に、柄ガイドエレメント３０の間隔を、柄ガイドエレメント３０の所定ピッチ単位で互いに変更可能にするピッチ調整装置を備える。【選択図】図１
2005232625.tif 000002
【特許請求の範囲】
【請求項１】
編地の基布を構成する地糸を導糸する地糸ガイドエレメントと、この地糸ガイドエレメントを所定ピッチで配置した地ガイドバーと、編地の柄を構成する柄糸を導糸する柄ガイドエレメントと、この柄ガイドエレメントを所定ピッチで上記地ガイドバーの一部分に対応して配置し、上記柄ガイドエレメントを上記地ガイドバーに対してその幅内の任意の位置に移動可能にする駆動装置と、上記柄ガイドエレメントの互いの間隔を任意に変更するエレメント調整装置とを設けたことを特徴とする経編機。
【請求項２】
上記柄ガイドエレメントを保持したエレメント保持装置内に、上記柄ガイドエレメントの間隔を上記柄ガイドエレメントの所定ピッチ単位で互いに変更可能にするピッチ調整装置を備えたことを特徴とする請求項１記載の経編機。
【請求項３】
上記柄ガイドエレメントを保持したエレメント保持装置内に、上記駆動装置を内蔵したことを特徴とする請求項１記載の経編機。
【請求項４】
編地の基布の幅に、任意の幅で斜め方向に柄糸による柄が編み込まれたことを特徴とする経編地。
【請求項５】
上記柄糸が編み込まれたパターンは、上記柄糸のパターンの柄糸のピッチが部分的に変化しているものであることを特徴とする請求項４記載の経編地。
【請求項６】
編地の基布を構成する地糸を導糸する地糸ガイドエレメントを所定ピッチで配置した地ガイドバーを設け、編地の柄を構成する柄糸を導糸する柄ガイドエレメントを、所定ピッチで上記地ガイドバーの一部分に対応して配置し、上記柄ガイドエレメントを上記地ガイドバーに対してその幅内の任意の位置に移動可能にする駆動装置と、上記柄ガイドエレメントの互いの間隔を任意に変更するエレメント調整装置とを設け、上記地ガイドバーに対して任意の位置に上記柄ガイドエレメントを移動させ、上記柄ガイドバーにより、上記編地の基布の幅内で任意の斜め方向に上記柄糸による柄を編み込み、上記柄ガイドエレメントの間隔を変更して上記柄糸を部分的に異なるピッチで編むことを特徴とする経編地の編成方法。
【発明の詳細な説明】
【技術分野】
【０００１】
この発明は、経編機の編糸を導糸して所望の編成を行うガイドバー及びガイドエレメントを備えた経編機と、その経編機で編成した経編地及びその編成方法に関する。
【背景技術】
【０００２】
従来、経編機は、図１３に示すように、編糸を導糸するガイド孔２を先端部に有したガイドエレメント４が、ガイドバー６に一定間隔で設けられ、このガイドバー６がロッド８を介して所定の高低が形成されたチェン１０に接続している。ガイドバー６は、編地の幅にわたって設けられ、ガイドバー６の一方の側方に、ガイドバー６の駆動装置であるチェン１０が位置している。チェン１０は、チェンドラム１２の外周に形成され、チェンドラム１２は、図示しないモータにより所定の編成サイクルに同期して回動する。さらに、ガイドバー６は、コイルスプリング１４によりワイヤ１６を介して常時チェン１０側に引かれている。ガイドエレメント４の先端部には、所定のピッチで編針１８が対向して、編地幅方向に設けられている。この経編機は、ガイドバー６が駆動装置であるチェン１０等により長手方向に往復運動し、編針１８が上下して所定の編成を行う。
【０００３】
また、経編機の構成について、特許文献２に開示されているように、ガイドバーの駆動機構が、ガイドバーの両端側に電動機を配して往復運動させるものや、特許文献６に開示されているように、リニアモータを配置してガイドバーを動かすものも提案されている。
【０００４】
さらに、特許文献５に開示されているように、編糸のうち基布を構成する地糸を導糸する地ガイドバーに対して、柄を構成する柄糸を導糸する柄ガイドバーを複数枚地ガイドバーに設け、柄ガイドバーをサーボモータで個々に駆動する経編機も提案されている。
【０００５】
一方、経編地において、編地の張力を変えて部分的に張力の強い編地を形成したものが特許文献１，３，４に開示されている。この他、経編のジャガード編により、編地に部分的に張力の高い箇所を形成したものも提案されている。
【特許文献１】特開２００１−３０３４０９号公報
【特許文献２】特開２００１−７３２６４号公報
【特許文献３】特開平１１−１４０７５２号公報
【特許文献４】特開平１１−１８５３号公報
【特許文献５】特開平１０−２４５７５４号公報
【特許文献６】特開平６−４９７５４号公報
【発明の開示】
【発明が解決しようとする課題】
【０００６】
上記従来の技術の場合、既存の経編機により編まれた生地に、部分的に伸縮性の異なる編地を形成するには、地筬であるガイドバーの動きを調整する方法ではその可動範囲がせいぜい１５ｍｍ程度であり、比較的細かい直線的な変化しか得られないものであった。また、柄ガイドバーを設けて部分的に糸密度を高めて伸縮性に変化を付けるものもあるが、高密度に糸を編み込むことが難しいものであった。さらに、無理に糸密度を高めようとしても、ガイド当たりが発生したり、多くの筬枚数が必要となり生産性が悪くなるものであった。
【０００７】
また、ジャガード装置を用いて編地の伸縮性を部分的に変化させることも可能であるが、ジャガード糸は、生地全幅に亘り存在するので、任意に伸縮性を変化させることが難しいものであった。
【０００８】
さらに、従来の経編機は、図１３に示すように、ガイドバー６を駆動させる駆動装置であるチェン１０等が編機の両サイドに位置しているので、ガイドバー６は経編機の全幅に亘る構造となり、装置が大型化するという問題があった。
【０００９】
この発明は、上記従来の技術の問題点に鑑みて成されたものであり、編地幅全幅に亘って任意の箇所に、部分的に伸縮性や張力の異なるパターンを形成可能とする経編機と経編地及びその編成方法を提供することを目的とする。
【課題を解決するための手段】
【００１０】
この発明は、編地の基布を構成する地糸を導糸する地糸ガイドエレメントと、この地糸ガイドエレメントを所定ピッチで配置した地ガイドバーと、編地の柄を構成する柄糸を導糸する柄ガイドエレメントと、この柄ガイドエレメントを所定ピッチで上記地ガイドバーの一部分に対応して配置し、上記柄ガイドエレメントを上記地ガイドバーに対してその幅内の任意の位置に移動可能にする駆動装置と、上記柄ガイドエレメントの互いの間隔を任意に変更するエレメント調整装置とを設けた経編機である。
【００１１】
さらに、上記柄ガイドエレメントを保持したエレメント保持装置内に、上記柄ガイドエレメントの間隔を上記柄ガイドエレメントの所定ピッチ単位で互いに変更可能にするピッチ調整装置を備えたものである。また、上記柄ガイドエレメントを保持したエレメント保持装置内に、上記駆動装置を内蔵したものでも良い。
【００１２】
またこの発明は、編地の基布の幅に、任意の幅で斜め方向に柄糸による柄が編み込まれた経編地である。上記柄糸が編み込まれたパターンは、上記柄糸のパターンの柄糸のピッチが部分的に変化しているものである。
【００１３】
またこの発明は、編地の基布を構成する地糸を導糸する地糸ガイドエレメントを所定ピッチで配置した地ガイドバーを設け、編地の柄を構成する柄糸を導糸する柄ガイドエレメントを、所定ピッチで上記地ガイドバーの一部分に対応して配置し、上記柄ガイドエレメントを上記地ガイドバーに対してその幅内の任意の位置に移動可能にする駆動装置と、上記柄ガイドエレメントの互いの間隔を任意に変更するエレメント調整装置とを設け、上記地ガイドバーに対して任意の位置に上記柄ガイドエレメントを移動させ、上記柄ガイドエレメントにより、上記編地の基布の幅内で任意の斜め方向に上記柄糸による柄を編み込み、上記柄ガイドエレメントの間隔を変更して上記柄糸を部分的に異なるピッチで編む経編地の編成方法である。
【発明の効果】
【００１４】
この本発明の経編機と経編地及びその編成方法は、柄ガイドエレメントを任意の位置に移動可能としたので、編地の全幅に亘って任意のパターンを形成することができ、サポート機能を有した編地や、大きな模様のパターンを有した経編地を形成することができる。
【００１５】
さらに、柄ガイドエレメントのピッチを可変としたことにより、任意の張力・密度のパターンを編地の任意の箇所に形成することができる。
【００１６】
また、この発明の経編機は、駆動装置がシンプルなものとなり、ガイドバーの長さも従来の経編機と比較して短いもとすることができ、装置全体が小型化される。
【発明を実施するための最良の形態】
【００１７】
以下、この発明の実施形態について図面に基づいて説明する。図１〜図９は、この発明の一実施形態を示すもので、この実施形態の経編機２０は、図１に示すように、編糸を導糸するガイド孔２２を先端部に有した地糸ガイドエレメント２４が、地ガイドバー２６に一定間隔で設けられている。地ガイドバー２６は、例えば図１３に示すような駆動装置により所定の往復運動可能に設けられている。
【００１８】
地ガイドバー２６の前方には、編地の張力を変えたり模様を形成したりするための柄糸を導糸するガイド孔２８を有した柄ガイドエレメント３０と、この柄ガイドエレメント３０を所定ピッチで保持したエレメント保持装置３２を備えている。エレメント保持装置３２は、各柄ガイドエレメント３０を、その柄ガイドエレメント３０の所定ピッチ単位で互いに間隔を変更するエレメントピッチ調整装置を内蔵している。
【００１９】
エレメント保持装置３２は、地ガイドバー２６と平行なまたは地ガイドバー２６と兼ねた図示しないガイド部材に沿って、編地幅の全幅の範囲内で任意の位置に移動可能に設けられている。エレメント保持装置３２は、サーボモータやパルスモータ等の駆動装置３４により移動可能に設けられている。そして、経編機２０には、地糸ガイドエレメント２４及び柄ガイドエレメント３０の先端部に対向して、所定のピッチで編針３６が編地幅方向に設けられている。
【００２０】
柄ガイドエレメント３０には、例えば図２に示すように、エレメント保持装置３２内に収納される基端部３０ａ側に、各柄ガイドエレメント３０のピッチと等しいピッチの三角波状の凹凸部３８が形成されている。そして、柄ガイドエレメント３０は、エレメント保持装置３２内の図示しないエレメントピッチ調整装置により、所定ピッチ分凹凸部３８に規制されて変位する。
【００２１】
また、エレメント保持装置３２は、図３に示すように、柄ガイドエレメント３０を所定数ずつ２組に分けて、一対のエレメント保持装置３２により一組の柄ガイドエレメント３０を駆動するようにしても良い。これにより、柄ガイドエレメント３０の間隔制御がより容易となり、柄のパターン形成の自由度が増す。
【００２２】
この実施形態の経編機２０により編成した経編地の例を図４〜図９に示す。この経編地４０は、図３に示すように、４本ずつの柄ガイドエレメント３０を備えた一対のエレメント保持装置３２により、基布４１に柄糸４２により編地の張力を高めるパターンである高張力部４４を形成したものである。高張力部４４は、図面の中央部で一対のエレメント保持装置３２が徐々に離れて一旦Ｖ字状に広がり、さらに、柄ガイドエレメント３０の一部の間隔が１ピッチ分離れて、高張力部４４のうちの弱高張力部４４ａを形成している。この後、エレメント保持装置３２間の間隔を徐々に縮めて、略菱形に高張力部４４を形成している。
【００２３】
このようにして形成する経編地４０は、図５に示すように、例えば筋肉サポート機能や体型補正機能のあるタイツやパンティーストッキング等の下衣５０に適用することができる。この衣類５０の場合、下腹部５２の引き締め効果は高張力部５４、太腿部分５６の引き締めは高張力部５８により得ている。さらに、ヒップ部分６０のサポートは高張力部６２、膝下部分６４のサポートは高張力部６６、そしてふくらはぎ部分６８のサポートは高張力部７０により得ている。
【００２４】
その他、図６（ａ）に示すように、経編地４０に連続的に伸縮性が変化した高張力部４４を形成し、図６（ｂ）に示すようなガードル７２を形成しても良い。また、図７（ａ）に示すような高張力部４４を備えた経編地４０を形成し、図７（ｂ）に示すようなブラジャー７４を形成しても良い。この場合、高張力部４４により乳房の下端部をサポートすることができ、従来のワイヤー等の部材を無くすことができる。また、図８（ａ）に示すような高張力部４４を備えた経編地４０を形成し、図８（ｂ）に示すような水着７６を形成しても良い。この場合、高張力部４４によるデザイン的な効果に加えて、サポート効果や体形補正効果を付与することもできる。また、図９（ａ）に示すような高張力部４４を備えた経編地４０を形成し、図９（ｂ）に示すようなタイツを形成しても良い。この場合も高張力部４４により筋肉のサポートやむくみ防止等の効果を付与することができる。そのほか、ランジェリー、ファンデーション、レオタード、メディカルサポート、スポーツウエア、筋肉サポートウエア等に利用可能なものである。
【００２５】
この実施形態の経編機によれば、経編地の全幅の範囲において任意の位置に柄ガイドエレメント３０を移動させることができ、図４，図５に示すように、経編地の任意の位置に高張力部を任意のパターンで形成することができる。これにより、大きな柄や、広い範囲でのサポートパターンや体形補正パターンを経編地に形成することができ、経編地の機能やデザインをより幅広いものとすることができる。
【００２６】
また、この発明の経編地とその編成方法によれば、サポート機能や体形補正機能を効果的に発揮することができる衣類を容易に形成することができる。
【００２７】
なお、この発明の経編機は上記実施形態に限定されるものではなく、図１０に示すように、柄ガイドバー８０を図示しない地ガイドバーと平行に設け、柄ガイドバー８０に２本のリニアモータガイド８２，８３を設け、柄ガイドエレメント３０を保持したエレメント保持装置８４にリニアモータを設けて、柄ガイドエレメント３０を任意の位置に摺動自在としても良い。この場合、各リニアモータガイド８２，８３に、各々一対のエレメント保持装置８４を設けて、エレメント保持装置８４を４台設けたものである。各一対のエレメント保持装置８４は、図示しない制御装置により互いに関連してまたは独立に移動可能である。
【００２８】
この装置によっても、上記実施形態と同様の効果を得ることができ、より多様な編成を可能とする。
【００２９】
また、図１１に示すように、一対のエレメント保持装置８６を雄ねじ部材８８に螺合させ、パルスモータ９０により任意の位置にエレメント保持装置８６を移動可能にしても良い。この場合、一対のエレメント保持装置８６は、互いに平行に移動する。
【００３０】
この装置によっても、上記実施形態と同様の効果を得ることができ、より装置が簡単であり、小型化することができる。
【００３１】
また、図１２に示すように、自走式のエレメント保持装置９２を地ガイドバーと平行に設けられた移動ガイド９３に沿って移動可能に設けたものでも良い。そして、移動ガイド９２と平行に雄ねじ部材９４が設けられ、雄ねじ部材９４に、エレメント保持装置９０内のウォーム９６が咬合している。ウォーム９６はモータ９８に連結され、モータ９８は図示しない制御装置により駆動される。さらに、エレメント保持装置９２には、編針３６の位置を光学的に検知するニードルセンサ１００を備えていても良い。これにより、正確に柄ガイドエレメント３０の間に編針３６を位置させることができる。
【００３２】
この装置によっても、上記実施形態と同様の効果を得ることができ、ガイドバーの幅を経編機の幅よりも短いものとすることができ、装置をより小型化することができ、きめ細かな制御も可能となる。
【００３３】
また、柄ガイドエレメント及びエレメント保持装置は、ガイドバーに沿って移動させる他、編機に近接して設けたロボット等の駆動装置によりアームを介して編針に対向させるように設けても良い。この場合も、柄ガイドエレメントの駆動をコンピュータ制御により地ガイドバーに対して任意の位置に移動させることができ、任意のパターンの柄を形成することができる。
【図面の簡単な説明】
【００３４】
【図１】この発明の一実施形態の経編機の部分概略斜視図である。
【図２】この実施形態の１本の柄ガイドエレメントの正面図である。
【図３】この実施形態のエレメント保持装置を示す模式図（ａ）と、（ａ）のエレメント保持装置の柄ガイドエレメントのピッチを変えた状態を示す模式図（ｂ）である。
【図４】この実施形態の経編機により編んだ柄を示す概念図である。
【図５】この実施形態の経編機により編んだ下衣を示す概略側面図（ａ）、概略正面図（ｂ）、概略背面図（ｃ）である。
【図６】この実施形態の経編機により経編地（ａ）と、その経編地により形成したガードルの概略図（ｂ）である。
【図７】この実施形態の経編機により経編地（ａ）と、その経編地により形成したブラジャーの概略図（ｂ）である。
【図８】この実施形態の経編機により経編地（ａ）と、その経編地により形成した水着の概略図（ｂ）である。
【図９】この実施形態の経編機により経編地（ａ）と、その経編地により形成したタイツの概略図（ｂ）である。
【図１０】この発明の経編機のエレメント保持装置の駆動装置の他の実施形態を示す概略正面図である。
【図１１】この発明の経編機のエレメント保持装置の駆動装置のさらに他の実施形態を示す概略正面図である。
【図１２】この発明の経編機のエレメント保持装置の駆動装置のさらに他の実施形態を示す概略正面図である。
【図１３】従来の経編機のガイドエレメントの例を示す概略正面図である。
【符号の説明】
【００３５】
２０  経編機
２２，２８  ガイド孔
２４  地糸ガイドエレメント
２６  地ガイドバー
３０  柄ガイドエレメント
３２  エレメント保持装置
３４  サーボモータ
【図１】
2005232625.tif 000003
【図２】
2005232625.tif 000004
【図３】
2005232625.tif 000005
【図４】
2005232625.tif 000006
【図５】
2005232625.tif 000007
【図６】
2005232625.tif 000008
【図７】
2005232625.tif 000009
【図８】
2005232625.tif 000010
【図９】
2005232625.tif 000011
【図１０】
2005232625.tif 000012
【図１１】
2005232625.tif 000013
【図１２】
2005232625.tif 000014
【図１３】
2005232625.tif 000015